(57)【要約】      （修正有）【課題】人が入れない狭い所や高い所の目標物を様子を世界中何処に居ても簡単な操作で見る事ができ、画像撮影だけでなく用途によって機材を変えられ、それらが簡単な操作で誰にでも出来、安くで生産でき多くの人が使用でき例えば２次災害を防ぐ。【解決手段】現在ある携帯電話の技術と超小型ＣＣＤカメラを応用する事により軽量かつ超小型でしかもパソコンウラルを入力する事によりどの場所に居てもパソコンさえあれば画像を見る事ができ、しかもパソコンの操作が出来る人であれば簡単に操作が出来ると言うことにより特殊な技術者でなくても操作が出来、多くの人迅速かつ的確に指示を行う事が出来るようになる。セパレーツタイプにする事により、使用目的の幅を広げる事ができ、多くの目的に使用できる可能性が広がる。【選択図】図３
0003104875.tif 000002
【実用新案登録請求の範囲】
【請求項１】
セパレート型にして上部のプロペラ稼動部と下部の偵察用機材部に分ける事によりより多くの用途に使える。
【請求項２】
超小型プロペラ稼動部に足をつける事により着地をして、着地地点より固定して撮影及び偵察が出来る。
【請求項３】
下部撮影部分に携帯電話の技術を応用する事により番号を入れればどんなパソコンに画像を送る事が出来、世界中のあらゆる場所からの確認指示が安易に出来るようになり、操作も専門知識がそれ程要らず簡単である。
【考案の詳細な説明】
【０００１】
【考案の属する技術分野】
この考案は、リモコンで操作されるプロペラー型飛行部分とＣＣＤカメラの部分を繋げたり取り外して、別の用途のを為の機材つけたりしながら、空中を飛行する事により目標物の実態を知るためのものである。
【０００２】
【従来の技術】
１．  決まった画像受信機材へしか、画像を送る事が出来なかった。
２．  用途が画像撮影と言う１つの用途にしか使えなかった。
３．  超小型プロペラー型飛行体の場合、高位置に浮遊しながらの撮影しか出来なかった。
４．  ラジコンヘリコプターにビデオカメラを取り付ける場合は重いカメラ機材の為にそれを支える浮遊力が必要であったし、ラジコンヘリコプターが高価であった。
【０００３】
【考案が解決しようとする課題】
決まった画像受信機材だけでなく世界中の何処に居ても多くの人が同時にその画像見て、対策を立てて、指示を出す事が出来ないだろうか？
目標物の撮影だけでなく、熱センサーや、暗視カメラなどに変えたりする事により、より幅広い用途に使えないだろうか？
従来ある超小型プロペラー型撮影用飛行体は常に浮遊してなければならないのなら画像が安定せず、見ずらいことによるより的確な判断の低下を少しでも上げられないだろうか？
撮影用の部分を重い機材のための浮遊力が必要な為にある程度の大きさが必要だったが、もっと小型化されないだろうか？
ラジコンヘリコプターにビデオカメラを取り付けたものは値段が高い値段をもっと安く量産して例えば１つの消防所に１つと置く事が出来るようにならないか。
【０００４】
【課題を解決するための手段】
（１）現在の携帯電話の技術を応用する為に軽量かつ小型である。
（２）現在のある携帯電話の技術を応用する事により超高感度ＣＣＤカメラを使用した画像を電話番号を入力するだけでパソコンに送る事が出来る。
（３）現在ある携帯電話の技術を応用する事によりパソコンさえあれば世界中の何処に居ても画像を見ることが出来、より的確な指示が円滑に行える事になる。
（４）セパレートタイプにする事により例えば下部を熱センサー機材、赤外線カメラ等に変えることにより、昼間の画像を見るだけでなく、より多くの用途に使える。
（５）携帯電話の技術を応用する事やセパレートタイプにする事により利用できる幅が広がっただけでなく、安価で量産が可能になり、多くの人が入手しやすくなる。
（６）従来の超小型プロペラー型飛行体の場合は足がなかったがそれをつける事により人のいけない高い位置に着地する事により固定して画像を取る事が可能になり、安定した画像を見ることにより、より的確な判断が出来るようになった。
【０００５】
【考案の実施の形態】
図面を参照にして本考案の実施例について述べる。
【０００６】
【実施例】
【０００７】
リモコン操作の為のＣＣＤカメラは下部の正面についている。
【０００８】
下部の裏面には電話番号用のボタンを記入する面がついている。
【０００９】
偵察用ＣＣＤカメラは両側面についている。
【００１０】
プロペラー作動部の上部と目的によって変えられる下部から成るセパレートタイプである。
【考案の効果】
【００１１】
超小型のために人の入っていけない狭い危険な場所に入っていって、中の様子を偵察する事が出来、それによって２次災害を防ぐ事ができる。
【００１２】
パソコンがある所なら世界中どんな場所へも画像を送る事ができ、多くの人からの的確な指示を迅速に行う事ができ、しかも特殊技術が要らずパソコンが使える人なら誰にでも出来ると言う操作で広く普及する事により、多くの人助けに役立つ。
【００１３】
セパレートタイプにした事により使用目的により下部の機材を変える事が出来るようになり、例えば暗視カメラに変えたり、熱センサーに変えたり等と使用の範囲を広げる可能性ができた。
【図面の簡単な説明】
【図１】考案実施形態を表した正面図で、リモコン操作用のＣＣＤカメラがついていて、そこから取り込まれた映像がパソコンに映し出されてそれを見て操作する。
【図２】考案実施形態裏面図。電話番号を入力する為のボタンがついている面。
これによりパソコンのウラルを入力し指定したパソコンの画面に映像が送られる。
【図３】考案実施形態側面図。両面にＣＣＤカメラが付いている。
ここにあるＣＣＤカメラより映し出される画像と正面からの画像で目標物体の実態を把握し判断材料にする。
【図４】考案実施形態の上部プロペラ作動部
【図５】考案実施形態セパレートタイプの下部。
使用目的によって変えられる部分。
【図１】
0003104875.tif 000003
【図２】
0003104875.tif 000004
【図３】
0003104875.tif 000005
【図４】
0003104875.tif 000006
【図５】
0003104875.tif 000007
【手続補正書】
【提出日】平成15年2月2日(2003.2.2)
【手続補正２】
【補正対象書類名】明細書
【補正対象項目名】実用新案登録請求の範囲
【補正方法】変更
【補正の内容】
【実用新案登録請求の範囲】
【請求項１】
・下部を変えることにより多くの用途に使える様に上部のプロペラ稼動部と下部の偵察用機材部を別けるセパレート型にする。
【請求項２】
・着地をして着地地点より固定して撮影及び偵察ができるように超小型プロペラ稼動部に足をつける。
【請求項３】
・電話番号、或いはパソコンのウラル番号を入れればどんなパソコンにも画像を送る事ができ、世界中のあらゆる場所からの確認と指示が安易にできる上に専門知識がそれ程要らず簡単に扱うことができる様に下部撮影部分に携帯電話の技術を応用する。
【手続補正書】
【提出日】平成15年5月28日(2003.5.28)
【手続補正２】
【補正対象書類名】明細書
【補正対象項目名】実用新案登録請求の範囲
【補正方法】変更
【補正の内容】
【実用新案登録請求の範囲】
【請求項１】
・上部にプロペラが付いて二つに分かれる型になっていて下の部分にＣＣＤカメラが搭載されてラジコン操作が出来る超小型偵察用ロボット。
・
【請求項２】
・上記の請求項１の物体を着地して安定撮影を可能にする為に足をつけた事を特徴とする超小型撮影用ロボット。
【請求項３】
・撮影した画面をパソコンで見れるように操作部分に携帯電話の技術を応用させた事を特徴とする超小型撮影用ロボット。
【手続補正書】
【提出日】平成15年9月22日(2003.9.22)
【手続補正２】
【補正対象書類名】明細書
【補正対象項目名】実用新案登録請求の範囲
【補正方法】変更
【補正の内容】
【実用新案登録請求の範囲】
【請求項１】
・二つに分かれる型になっていてその上部の方にプロペラがついていて下の部分にＣＣＤカメラが搭載されてラジコン操作が出来る超小型偵察用ロボット。
【請求項２】
・上記の請求項１の超小型撮影用ロボットが着地して安定撮影を可能にする為に足をつけた事。
【請求項３】
・上記の請求項１の超小型撮影用ロボットが携帯電話の技術を応用することにより、何処のパソコンでも画面が見れる様にする事。
【手続補正書】
【提出日】平成16年1月22日(2004.1.22)
【手続補正２】
【補正対象書類名】明細書
【補正対象項目名】実用新案登録請求の範囲
【補正方法】変更
【補正の内容】
【実用新案登録請求の範囲】
【請求項１】
・二つに分かれる型になっていてその上部の方にプロペラがついていて下の部分にＣＣＤカメラが搭載されてラジコン操作が出来る超小型偵察用ロボット。
・
【請求項２】
・着地して安定撮影を可能にする為に足をつけた事を特徴とする請求項１の超小型撮影用ロボット
【請求項３】
・携帯電話の技術を応用することにより、何処のパソコンでも画面が見れるようにした事を特徴とする請求項１の超小型撮影用ロボット。